(57)【要約】      （修正有）【課題】様々なカレンダーの態様に対応して、任意の日付を標示するカレンダー標示具を提供する。【解決手段】強磁性体の背面プレート２と、背面プレートをカレンダー１の背面側に支持固定する支持クリップ３と、磁石を有し、背面プレートが背面側に固定されたカレンダーの表面に吸着して任意の日付を標示する標示飾り４とを備える。背面プレートは、カレンダーの横幅と同等の横方向長さを有し、複数の支持クリップによってカレンダーの両側端に固定される。【選択図】図１
0003197984.tif 000002
【実用新案登録請求の範囲】
【請求項１】
強磁性体の背面プレートと、
前記背面プレートをカレンダーに支持固定する背面プレート固定具と、
磁石を有し、前記背面プレートが背面側に固定された前記カレンダーの表面に吸着して任意の日付を標示する標示具と、
を備え、
前記背面プレートは、前記カレンダーの横幅と同等の横方向長さを有し、複数の前記背面プレート固定具によって前記カレンダーの両側端に固定される、
ことを特徴とするカレンダー標示具。
【請求項２】
前記背面プレートは、第１プレート及び第２プレートからなり、該第１プレートと第２プレートとを重ね合わせた部位を接合具を用いて固定し、前記カレンダーの横幅と同等の横方向長さとする、
ことを特徴とする請求項１に記載のカレンダー標示具。
【考案の詳細な説明】
【技術分野】
【０００１】
本考案は、カレンダーの日付を装飾して標示するカレンダー標示具に関するものである。
【背景技術】
【０００２】
一般的な月めくりカレンダーは、一か月毎日付を縦横に並べて記載表示している。詳しくは、縦列を曜日毎に揃え、横列に一週間の日付を並べて記載表示しており、この日付を表示した部分には数字のみが記載されて、装飾等は施されていないものが多い。
上記のように数字のみが記載表示された日付部分のうち、任意の日付を強調するように、既成のカレンダーに例えば磁石を使用して目印等を後付けする標示具がある（例えば、特許文献１参照）。
【０００３】
この標示具は、紙製のカレンダーの表面側に配置され、任意の日付数字を囲む第１の枠体と、この第１の枠体をカレンダー裏面側から磁石を使用して吸着する第２の枠体によって構成されている。
第１の枠体は、上記のようにカレンダーに記載された日付数字を囲うように中心部分が空洞になっており、上記の日付数字の文字サイズに適合する大きさを有している。
また、カレンダー裏面側に配置される第２の枠体は、上記の第１の枠体の大きさに対応する大きさを有している。
【先行技術文献】
【特許文献】
【０００４】
【特許文献１】実開平６−９９６８号公報
【考案の概要】
【考案が解決しようとする課題】
【０００５】
従来のカレンダー用日付標示具は上記のように構成されているので、第１の枠体で囲うことができる文字サイズに制限が生じる。そのため、様々な大きさのカレンダーに対応して使用することが難しく、必然的にカレンダーならびに標示具を相互に専用設計することになるという問題点があった。
また、第１の枠体と第２の枠体は、一対一で対応していることから、同時に複数の日付に第１の枠体を使用して標示する場合には、第２の枠体についても複数個必要になり、例えば壁掛けのカレンダーに使用したときには、当該カレンダーの厚さ方向に複数の凹凸が生じる。そのため、日付を記載した表面が一様でなくなり、特に、枠体等を装着していない部分、即ち標示を行っていない部分の美観を損ってしまうという問題点があった。
【０００６】
本考案は、上記のような課題に鑑みてなされたもので、様々なカレンダーの態様に対応して、任意の日付を標示するカレンダー標示具を提供することを目的とする。
【課題を解決するための手段】
【０００７】
本考案に係るカレンダー標示具は、強磁性体の背面プレートと、前記背面プレートをカレンダーに支持固定する背面プレート固定具と、磁石を有し、前記背面プレートが背面側に固定された前記カレンダーの表面に吸着して任意の日付を標示する標示具とを備え、前記背面プレートは、前記カレンダーの横幅と同等の横方向長さを有し、複数の前記背面プレート固定具によって前記カレンダーの両側端に固定されることを特徴とする。
【０００８】
また、前記背面プレートは、第１プレート及び第２プレートからなり、該第１プレートと第２プレートとを重ね合わせた部位を接合具を用いて固定し、前記カレンダーの横幅と同等の横方向長さとすることを特徴とする。
【考案の効果】
【０００９】
本考案によれば、様々な態様のカレンダーに所望の目印を付けることができ、汎用性が高く、ユーザの嗜好に応じた装飾等を施して日付を標示することができる。
【図面の簡単な説明】
【００１０】
【図１】本考案の実施例１によるカレンダー標示具の構成を示す説明図である。
【図２】図１の背面プレートの構成を示す説明図である。
【図３】図１のカレンダー標示具を斜視した説明図である。
【図４】本考案の実施例２によるカレンダー標示具の構成を示す説明図である。
【考案を実施するための形態】
【００１１】
以下、この考案の実施の一形態を説明する。
（実施例１）
図１は、本考案の実施例１によるカレンダー標示具の構成を示す説明図である。図示したカレンダー１は、例えば、一様な面に一か月分の日付を記載した、いわゆる月めくりカレンダーであり、一週間分の日付を横一列に記載表示し、縦方向に同一曜日の日付を揃えている。
本実施例１によるカレンダー標示具は、カレンダー１の背面側に配置固定される背面プレート２、背面プレート２をカレンダー１に支持固定する支持クリップ３（背面プレート固定具）、カレンダー１に記載された任意の日付を標示する標示飾り４（標示具）によって構成されている。
【００１２】
背面プレート２は、磁石が吸着する例えばスチール薄板やステンレス薄板などの強磁性体によって形成されたものである。
この背面プレート２は、図中横方向（長手方向）についてはカレンダー１の幅寸法と同一の長さを有しており、後述するように長手方向の寸法を調整することができるように構成されている。
背面プレート２の長手方向両端は、複数の支持クリップ３によってカレンダー１の両側方部分に固定されている。
【００１３】
支持クリップ３は、一の方向に開放端を有し、この開放端をばね性によって閉じるように構成されている。この開放端を閉じる力は、当該開放端に背面プレート２とカレンダー１とを重ねて挟み込んだとき、垂直に掲げたカレンダー１から背面プレート２が落下しないように支持固定することが可能な程度である。
標示飾り４は、カレンダー１に記載された日付のうち、標示する部分に付着させる目印であり、例えば図示した造花等の花飾り、デザインキャラクタ、写真、メッセージを記載したタグなどを備えたもので、これらを複数重ねて装飾したものでもよい。
【００１４】
図２は、図１の背面プレートの構成を示す説明図である。背面プレート２は、図２（ａ）に示したように、例えば２枚の長形薄板からなり、第１プレート１１と第２プレート１２とを一部分重ね合わせて構成されている。
第１プレート１１と第２プレート１２は、例えば、同一形状に形成されたもので、長手方向の長さが３００［ｍｍ］、短手方向の長さが４０［ｍｍ］の大きさを有し、厚さ０．５［ｍｍ］の例えば防錆処理を施した金属薄板によって構成されている。
なお、第１プレート１１及び第２プレート１２は、上記の大きさに限定されず、装着を想定したカレンダー１の大きさに応じて外寸が設定されたものである。
【００１５】
背面プレート２、即ち、第１プレート１１及び第２プレート１２の短手方向（縦方向）の長さは、例えば、カレンダー１に記載された日付数字の文字サイズに対応したもので、当該日付数字の高さ方向の大きさと同等、あるいは若干大きい長さである。
第１プレート１１と第２プレート１２は、図２（ｂ）に示したように、当該第１プレート１１及び第２プレート１２の、それぞれの端部近傍部分が重なり合うように接合され、この接合部位に例えば複数の接合クリップ１３（接合具）が装着され、ずれ等が生じないように固定されている。このように２つのプレートを重ね合わせることにより、全体の長手方向（横方向）長さを、カレンダー１の横幅と同等となるように調整する。
【００１６】
接合クリップ１３は、例えば自らのばね性によって第１プレート１１と第２プレート１２の重畳部分を挟み込むように構成されたものである。この接合クリップ１３は、例えば、第１プレート１１と第２プレート１２の重なり合った部位において、対向する各縁辺部分をそれぞれ挟み込み、当該第１プレート１１と第２プレート１２が縦方向ならびに横方向のいずれの方向にも、ずれないように複数個配置固定されている。
【００１７】
前述のように、第１プレート１１と第２プレート１２とを重ね合わせた（固定した）ときの長手方向（カレンダー１の横幅方向）長さを調整することにより、一般的なカレンダーにおいては一週間分の日付を記載した部分の背後（裏面側）に、背面プレート２が備えられることになる。
なお、ここで例示した背面プレート２は、短手方向（カレンダー１における縦方向）の長さを日付文字の一文字分に対応させたものであるが、例えばカレンダー１の日付の縦２列分（２週間分）を裏面側において覆うように、当該背面プレート２の縦方向大きさを設定してもよく、また、３週間分、４週間分、あるいは１か月分の日付全体を覆う大きさとしてもよい。
【００１８】
図３は、図１のカレンダー標示部を斜視した説明図である。なお、この図では、前述のように重ね合わせ固定した第１プレート１１及び第２プレート１２を、破線の背面プレート２として示し、また、各接合クリップ１３の図示を省略している。
背面プレート２は、カレンダー１の裏面側に配置され、当該カレンダー１の両側端に配置された例えば２つの支持クリップ３によって固定され、当該カレンダー１の横幅方向について剛性を高め、日付が記載された表面の張りを補強する。
上記のように裏面側に固定された、背面プレート２直上となるカレンダー１表面に、標示飾り４が固定される。
【００１９】
標示飾り４は、下部もしくは背後側に、磁石等を有する標示固定具２１を備えている。
標示固定具２１は、例えばマグネットクリップであり、前述の造花等の花飾りやメッセージ等を記載したタグなどを挟み込み、これらを適宜着脱可能とするように構成されており、カレンダー１を介して背面プレート２に磁力を用いて吸着する。
標示飾り４は、カレンダー１の裏面側に背面プレート２が固定されている範囲に装着することができ、任意の日付数字を指し示すように、または日付数字の周囲を装飾するように装着することが可能である。
【００２０】
標示飾り４は、上記のように装飾について自由度があることから、標示日が一目瞭然となるように、例えばアートタイトルのように装飾してもよい。
また、標示飾り４の装着位置は、背面プレート２が固定されている範囲内に装着することができることから、一つの背面プレート２の表側となる複数の日付に、それぞれ標示飾り４を装着することも容易にでき、また、日付の記載されていない部分を装飾することも可能である。
【００２１】
ここで説明した背面プレート２は、カレンダー１に記載された一週間分の日付に対応する大きさを有している。例えば、カレンダー１の、本日の日付位置に標示飾り４を着けて標示する場合、今週の一週間について逐次日付標示を行った後、支持クリップ３を取り外し、次週の日付が記載された列、もしくは記載領域に背面プレート２を移動させ、再び支持クリップ３を用いてカレンダー１に固定する。
【００２２】
以上のように本実施例１によれば、一週間分の日付について標示を行うことが可能なことから、本日の日付を逐次標示することが容易になり、また、単数または複数の予定について注意喚起の標示を行うことができる。
また、カレンダー１の横幅に対応させて背面プレート２の横方向長さを調整することにより、標示飾り４の装着について汎用性を備えることができる。
また、標示飾り４にユーザの所望する装飾を施すことが容易にでき、カレンダー１の美観を好みに応じて高めることができる。
【００２３】
（実施例２）
図４は、本考案の実施例２によるカレンダー標示具の構成を示す説明図である。実施例１で説明したものと同一あるいは相当する部分に同じ符号を使用し、その詳細説明を省略する。
実施例２のカレンダー標示具は、カレンダー１の背面側に配置固定される背面プレート２、カレンダー１に記載された任意の日付を標示する標示飾り４、支持クリップ３に替えて支持マグネット３０（背面プレート固定具）を備えて構成されている。
【００２４】
支持マグネット３０は、例えば板状に形成されたフェライト磁石等の永久磁石であり、カレンダー１の両側方に各々備えられる。
例えば、背面プレート２、もしくは第１プレート１１及び第２プレート１２が実施例１で説明した大きさの場合、支持マグネット３０は、縦方向長さ５０［ｍｍ］、横幅方向長さ２０［ｍｍ］、厚さ５［ｍｍ］の大きさを有し、また、１．０［ｋｇ］の吸着力を有するものを用いる。
なお、表面にカラーリングなど装飾を施したマグネットシートやマグネットバーなどを用いて、支持マグネット３０を構成してもよい。
【００２５】
背面プレート２の横方向長さを、実施例１で説明したようにカレンダー１の横幅に合せて調整し、カレンダー１の裏面側、例えば今週の日付位置の裏面側に配置する。次に、２つの支持マグネット３０をカレンダー１の表面両側端に配置し、カレンダー１を挟んだ状態で背面プレート２を吸着する。このようにして、カレンダー１に背面プレート２を固定し、その後、標示飾り４を任意の日付に装着する。
支持マグネット３０は、背面プレート２が配置された位置であれば、どの位置でも装着することができ、背面プレート２をカレンダー１に固定する位置は、当該カレンダー１の両側端に限定されない。例えば、日付が記載されていないカレンダー１の余白部分や、標示飾り４の装着されていない位置などに支持マグネット３０を設置し、背面プレート２をカレンダー１に固定するようにしてもよい。
【００２６】
以上のように本実施例２によれば、カレンダー１の表面に装着される支持マグネット３０の着脱が容易になり、カレンダー１に固定された背面プレート２の位置を容易に移動もしくは変更することができる。
【符号の説明】
【００２７】
１カレンダー
２背面プレート
３支持クリップ
４標示飾り
１１第１プレート
１２第２プレート
１３接合クリップ
２１標示固定具
３０支持マグネット
【図１】
0003197984.tif 000003
【図２】
0003197984.tif 000004
【図３】
0003197984.tif 000005
【図４】
0003197984.tif 000006